(57)【要約】    【課題】  発熱がある機能ユニットに於ける強制空冷での冷却効率を向上させる。    【解決手段】  複数の機能ユニットを具備する通信装置に於いて、前記機能ユニットの内、発熱部を有する機能ユニット１５について、発熱部品が実装された配線基板と、冷却用のファンとを具備し、前記発熱部品は前記配線基板の冷却空気流れ方向に沿った区分に設けられ、該区分にヒートシンクが取付けられ、前記区分を除く他の区分に冷却空気が流入することを遮る整流板を前記配線基板に設け、前記冷却用ファンからの冷却空気が前記ヒートシンクを流通する様構成した。    【選択図】          図１
2008140882.tif 000002
【特許請求の範囲】
【請求項１】
複数の機能ユニットを具備する通信装置に於いて、前記機能ユニットの内、発熱部を有する機能ユニットについて、発熱部品が実装された配線基板と、冷却用のファンとを具備し、前記発熱部品は前記配線基板の冷却空気流れ方向に沿った区分に設けられ、該区分にヒートシンクが取付けられ、前記区分を除く他の区分に冷却空気が流入することを遮る整流板を前記配線基板に設け、前記冷却用ファンからの冷却空気が前記ヒートシンクを流通する様構成したことを特徴とする通信装置。
【発明の詳細な説明】
【技術分野】
【０００１】
本発明は、通信システムの中継基地等に設置される床置き設置式の通信装置に関し、特に、発熱ユニットの冷却効果を高めた通信装置に関するものである。
【背景技術】
【０００２】
大型の通信装置は、筐体に複数のサブラックが着脱可能に設けられ、各サブラックには機能毎にユニット化されたユニットが着脱可能に実装され、信号増幅部、電源部、制御部等の通信装置の主要部を構成している。
【０００３】
例えば、サブラックに機能ユニットである複数の中継増幅装置、複数の送受切替え・合成機、及び増幅装置切替え機が実装され、信号増幅部が構成される。
【０００４】
該信号増幅部では中継増幅装置の発熱が大きく、中継増幅装置はファン等により強制空冷される様になっている。
【０００５】
図５により、従来の中継増幅装置１について説明する。
【０００６】
該中継増幅装置１はサブラック（図示せず）に前パネル２を介して取付けられる様になっており、該前パネル２にはシャーシ３が取付けられている。該シャーシ３は後方に延出し、該シャーシ３には所要の電子部品が実装された複数段に配線基板が取付けられている。図５では上段の配線基板４が示されている。
【０００７】
該配線基板４の上部には発熱部品（図示せず）が実装され、下部には発熱量の少ない電子部品１０が取付けられている。前記発熱部品には更にヒートシンク５が取付けられ、前記発熱部品の熱は前記ヒートシンク５を介して放熱される。
【０００８】
前記前パネル２の前面には冷却用ファン６が取付けられ、該冷却用ファン６は前記中継増幅装置１の実装状態で、前記前パネル２の前方から空気を吸引し、前記中継増幅装置１内部に前方から後方に向う冷却風流７を形成する。前記ヒートシンク５は前記冷却風流７によって冷却されている。
【０００９】
又、下段の配線基板（図示せず）からのケーブル８は、前記配線基板４の前部の所要箇所を挿通して前記シャーシ３の後部に至り、後パネル９下部のクランプ１１で束ねられ、前記中継増幅装置１の外に延出している。
【００１０】
上記した様に、サブラックには複数の中継増幅装置、複数の送受切替え・合成機、及び増幅装置切替え機が実装されており、個々の機能ユニットからはそれぞれケーブルが延出し、各ケーブル毎に他の機能ユニットに接続されている。
【００１１】
上記した従来の中継増幅装置１では、前記冷却風流７は前記配線基板４の全面を流通する構造となっているので、前記冷却風流７は前記配線基板４の流路抵抗の少ない部分を多く流れる。
【００１２】
この為、前記冷却風流７は、流路抵抗の大きい前記ヒートシンク５よりは発熱の少ない部品が実装された下部を多く流れ、該ヒートシンク５からの放熱が効率よく行われない。
【００１３】
更に、前記ケーブル８は前記配線基板４下部の前記電子部品１０の上を通って、前記クランプ１１に至るので、前記電子部品１０と干渉する場合があり、又部品交換等のメンテナンス時には前記ケーブル８の処理で作業が煩雑になる場合があった。
【００１４】
又、個々の機能ユニットからのケーブルが各ケーブル毎に他の機能ユニットに接続された状態では、前記ケーブルはバラバラにサブラックの後部を占めることとなり、サブラック後部からの風の流出の邪魔になり、前記中継増幅装置１内部の通風状態を悪化させる要因となっていた。
【００１５】
【特許文献１】特開２００４−２００４５３号公報
【発明の開示】
【発明が解決しようとする課題】
【００１６】
本発明は斯かる実情に鑑み、発熱がある機能ユニットに於ける強制空冷での冷却効率を向上させ、又機能ユニット内の配線、機能ユニット間の配線の引回しを簡潔にし、又配線処理を能率よく行える様にした通信装置を提供するものである。
【課題を解決するための手段】
【００１７】
本発明は、複数の機能ユニットを具備する通信装置に於いて、前記機能ユニットの内、発熱部を有する機能ユニットについて、発熱部品が実装された配線基板と、冷却用のファンとを具備し、前記発熱部品は前記配線基板の冷却空気流れ方向に沿った区分に設けられ、該区分にヒートシンクが取付けられ、前記区分を除く他の区分に冷却空気が流入することを遮る整流板を前記配線基板に設け、前記冷却用ファンからの冷却空気が前記ヒートシンクを流通する様構成した通信装置に係るものである。
【発明の効果】
【００１８】
本発明によれば、複数の機能ユニットを具備する通信装置に於いて、前記機能ユニットの内、発熱部を有する機能ユニットについて、発熱部品が実装された配線基板と、冷却用のファンとを具備し、前記発熱部品は前記配線基板の冷却空気流れ方向に沿った区分に設けられ、該区分にヒートシンクが取付けられ、前記区分を除く他の区分に冷却空気が流入することを遮る整流板を前記配線基板に設け、前記冷却用ファンからの冷却空気が前記ヒートシンクを流通する様構成したので、該ヒートシンクを流通する冷却空気の流量が増大し、前記発熱部品の冷却効果が向上するという優れた効果を発揮する。
【発明を実施するための最良の形態】
【００１９】
以下、図面を参照しつつ本発明を実施する為の最良の形態を説明する。
【００２０】
図１は、本発明に係る通信装置の信号増幅部１３を示しており、又該信号増幅部１３は、サブラック１４、該サブラック１４に実装された複数台（図示では４台）の中継増幅装置１５、増幅装置切替え機１６、複数台（図示では３台）の送受切替え・合成機１７によって構成されている。
【００２１】
先ず、前記サブラック１４について図２を参照して説明する。又、図２は該サブラック１４の後方からの斜視図である。
【００２２】
左右のサイドパネル１９，２０の上端には、複数本（図示では３本）の上バー２１が掛渡され設けられ、又左右のサイドパネル１９，２０に掛渡り、下棚２２、中棚２３、上棚２４が水平に設けられている。又、前記下棚２２の後側にはコネクタパネル２５が垂直に取付けられている。
【００２３】
前記上棚２４には前記送受切替え・合成機１７が載設され、前記中棚２３には前記増幅装置切替え機１６が載設され、前記下棚２２には前記中継増幅装置１５が載設される。
【００２４】
前記中棚２３と前記下棚２２間に、断面凹状の配線ダクト２６が上下方向に掛渡り取付けられ、該配線ダクト２６にはダクトカバー２７が着脱可能となっている。前記配線ダクト２６の下側には端子板２８が設けられ、該端子板２８は下保護カバー２９が設けられることでカバーされる。又、前記上棚２４の後端に上保護カバー３１が取付けられ、該上保護カバー３１は前記増幅装置切替え機１６に設けられるコネクタ群（図示せず）をカバーしている。
【００２５】
前記下棚２２には前記中継増幅装置１５を取付ける場合のガイド片３２が切起され、前記上棚２４には前記送受切替え・合成機１７を取付ける場合のガイド片３３が切起されている。
【００２６】
図３により、本実施の形態に係る中継増幅装置１５について説明する。尚、図３中、図５で示したものと同等のものには同符号を付し、その説明を省略する。
【００２７】
シャーシ３には複数段に配線基板が設けられ、上段の配線基板４の上部には発熱部品（図示せず）が実装され、下部には発熱量の少ない電子部品１０が実装されている。即ち、前記配線基板４は、前記発熱部品が設けられる部分と発熱量の少ない電子部品とが区分されて実装されている。
【００２８】
前記発熱部品に密着する様にヒートシンク５が設けられ、該ヒートシンク５のフィン３４は水平方向に形成されている。
【００２９】
前記ヒートシンク５の下面と前記シャーシ３の内側壁との間に上下方向に掛渡り整流板３５が前記配線基板４に取付けられ、前記整流板３５の上端は前記フィン３４の前端に位置している。前記シャーシ３にシャーシカバー（図示せず）を設けることで、前記シャーシ３の図３に於ける右側面が閉塞され、同時に前記ヒートシンク５の溝を蓋する状態となる。
【００３０】
前記整流板３５は前記シャーシ３の内部を前部と後部に仕切り、該シャーシ３と前パネル２との間には略閉塞された空間である整流部３６が形成され、該整流部３６には前記ヒートシンク５の溝の前端が開口する状態となる。
【００３１】
又、前記整流板３５の下部にはケーブルクランプ３７が設けられる。該ケーブルクランプ３７としては、ケーブルの嵌脱が容易な構造、例えば該ケーブルクランプ３７は一部がケーブルの太さ程度に欠切された孔となっており、孔の周縁にはゴムブッシュが嵌込まれており、孔に挿通することなく孔の横方向から欠切箇所よりケーブルを嵌込み可能となっている等である。
【００３２】
前記配線基板４を挿通し、前記整流部３６に露出したケーブル８は前記ケーブルクランプ３７でクランプされ、前記シャーシ３の下面部に沿って後方に引回され、後面部のクランプ１１にクランプされ、前記シャーシ３の後方に延出しプラグイン型のコネクタ（図示せず）等に接続される。前記ケーブル８が下面部に沿って引回されることから、前記配線基板４に実装された前記電子部品１０と干渉することもなく、前記配線基板４の部品装着面は開放されているので、部品の点検、交換等、前記ケーブル８の処理を考慮する必要がなく、作業性が向上する。
【００３３】
前記中継増幅装置１５を前記サブラック１４に実装する場合は、前記下棚２２に載置し、前記ガイド片３２に沿って挿入し、前記前パネル２を介して前記サブラック１４に取付ける。尚、前記中継増幅装置１５を挿入することで、前記プラグイン型のコネクタ（図示せず）は前記コネクタパネル２５に設けられたコネクタ３８に嵌合する。
【００３４】
前記増幅装置切替え機１６を前記サブラック１４に取付ける場合は、前記中棚２３に載置し、挿入し、前パネルを介して螺子等により前記サブラック１４に固定する。又前記送受切替え・合成機１７を取付ける場合は、前記上棚２４に載置し、前記ガイド片３３をガイドとして挿入し、前パネルを介して前記サブラック１４に固定する。
【００３５】
前記送受切替え・合成機１７から延出するケーブル（図示せず）は前記配線ダクト２６にまとめられて収納され、更に前記送受切替え・合成機１７からのケーブルは前記コネクタ３８に接続される。又、前記配線ダクト２６は前記ダクトカバー２７によって蓋をされる。従って、ケーブル類が個別に前記サブラック１４の背面に露出することなく配線することができる。
【００３６】
前記配線ダクト２６、前記ダクトカバー２７は凹状の高い剛性を有する断面となっており、少なくとも前記配線ダクト２６を鉄板等金属材料で製作すれば、補強部材としても機能し、前記サブラック１４の剛性の向上、強度の向上を図ることができる。
【００３７】
尚、前記配線ダクト２６に補強部材としての機能が要求されない場合は、合成樹脂で製作しても良く、或は棒状の部材を前記中棚２３と前記下棚２２間に設け、棒状の部材にケーブル類をクランプする様にしてもよい。
【００３８】
前記サブラック１４後面のケーブルがダクト等にまとめられることで、該サブラック１４後面の通気性が向上し、前記中継増幅装置１５の冷却効果も向上する。
【００３９】
次に、該中継増幅装置１５に於ける冷却作用について説明する。
【００４０】
該中継増幅装置１５が稼働されている状態では、冷却用ファン６が駆動され、前方空気が取込まれ、後方の前記シャーシ３内部に送風される。該シャーシ３内部は前記整流板３５で仕切られ、後方への流路は前記ヒートシンク５に限定されているので、空気の大部分は該ヒートシンク５を通過して後方に排気される。従って、該ヒートシンク５の放熱量は大きく、前記発熱部品は前記ヒートシンク５を介して効果的に冷却される。
【００４１】
上記した様に、前記冷却用ファン６からの冷却空気は、大部分が前記ヒートシンク５を流通することになるので、発熱部品を前記配線基板４の下部に実装し、前記ヒートシンク５と前記整流板３５の配置を上下逆としても、冷却効果は低下することがなく、部品の配置上の制約が解消される。
【００４２】
図４は、本発明の他の実施の形態を示すものである。
【００４３】
他の実施の形態では、整流部３６に送風された空気をより効果的にヒートシンク５へ導く様にしたものである。
【００４４】
即ち、整流板３５を傾斜させ、流路断面が前方から後方に向って徐々に減少する様にし、流路抵抗を減少させ、冷却用ファン６から送風された空気が淀むことなく、円滑に前記ヒートシンク５へ流通する様にしたものである。
【００４５】
而して、該他の実施の形態ではエネルギロスが少なくなり、前記ヒートシンク５を通過する風の流量が増大し、一層冷却効果が増大する。
【００４６】
尚、本発明は、中継増幅装置１５に限らず、発熱部を有し、強制空冷する種々のユニットに対して実施可能であることは言う迄もない。又、前記中継増幅装置１５はサブラックを介さず筐体に直接取付けられる構造であっても良い。
【００４７】
更に、前記中継増幅装置１５は前記配線基板４が垂直になる様に実装されたが、水平に実装される場合も同様に実施可能である。
【００４８】
（付記）
又、本発明は以下の実施の態様を含む。
【００４９】
（付記１）複数の機能ユニットを具備する通信装置に於いて、前記機能ユニットの内、発熱部を有する機能ユニットについて、発熱部品が実装された配線基板と、冷却用のファンとを具備し、前記発熱部品は前記配線基板の冷却空気流れ方向に沿った区分に設けられ、該区分にヒートシンクが取付けられ、前記区分を除く他の区分に冷却空気が流入することを遮る整流板を前記配線基板に設け、前記冷却用ファンからの冷却空気が前記ヒートシンクを流通する様構成したことを特徴とする通信装置。
【００５０】
（付記２）前記整流板は、流れ方向に関して傾斜し、前記冷却空気を前記ヒートシンクに導く様になっている付記１の通信装置。
【００５１】
（付記３）前記整流板には、ケーブルクランプが設けられ、該ケーブルクランプは、前記機能ユニットを通過するケーブルを束ねると共に前記配線基板に実装された電子部品と干渉しない様に前記ケーブルを固定する付記１の通信装置。
【００５２】
（付記４）前記機能ユニットは、サブラックに収納され、該サブラックは前記機能ユニットを載置する棚を複数段有し、前記サブラックの後面には上下の棚に掛渡るバーが設けられ、該バーにケーブル類がクランプされる付記１の通信装置。
【００５３】
（付記５）前記バーは断面コの字状をした配線ダクトであり、該配線ダクトは前記ケーブル類を収納すると共に強度部材として機能する付記４の通信装置。
【図面の簡単な説明】
【００５４】
【図１】本発明に係る通信装置の信号増幅部を示す斜視図である。
【図２】本発明に係る通信装置のサブラックの斜視図である。
【図３】信号増幅部を構成する機能ユニットの１つである中継増幅装置の斜視図である。
【図４】本発明の他の実施の形態に於ける中継増幅装置の斜視図である。
【図５】従来の中継増幅装置の斜視図である。
【符号の説明】
【００５５】
４              配線基板
５              ヒートシンク
６              冷却用ファン
８              ケーブル
１０            電子部品
１３            信号増幅部
１４            サブラック
１５            中継増幅装置
１６            増幅装置切替え機
１７            送受切替え・合成機
２６            配線ダクト
２７            ダクトカバー
３５            整流板
３６            整流部
【図１】
2008140882.tif 000003
【図２】
2008140882.tif 000004
【図３】
2008140882.tif 000005
【図４】
2008140882.tif 000006
【図５】
2008140882.tif 000007